(57)【要約】  複数のシステムに基づいて信号を処理するマルチモードレシーバーシステム（２００ａ〜２００ｃ）が開示されている。本発明の実施形態は、複数のシステム（２０１、２３３、２５３、２６７）に対応するベースバンド信号（２０９、２２１、２３９、２４１、２６１、２６５、２７３、２７５）を処理する共用アーキテクチャ（２１２ａ〜２１２ｃ）を提供する。【特許請求の範囲】
【請求項１】
複数のシステムに基づいて信号を受け取る方法（２００ａ）であって、
第１のシステム（２０１）に基づいて第１の信号（２０７）を第１のベースバンド信号（２０９）に変換し（２１０）、
第２のシステム（２６７）に基づいて第２の信号（２７１）を第２のベースバンド信号（２７３）に変換し、
ベースバンドコンポーネント（２１２ａ）を使用して前記第１のベースバンド信号を処理し、
ベースバンドコンポーネントを使用して前記第２のベースバンド信号を処理する、
方法。
【請求項２】
前記第１のシステムおよび前記第２のシステムそれぞれは、符号分割多元接続システム（２０１）、パーソナル通信サービスシステム（２５３）、全地球測位衛星システム（２３３）、デジタル放送衛星システム（２６７）、および全地球デジタル移動体通信システム、の少なくとも１つを含む、請求項１に記載の方法。
【請求項３】
前記処理することは、フィルタリング（２１４、２２０、２２６）すること、増幅（２１８、２２２）すること、デジタル／アナログ変換を提供すること、アナログ／デジタル変換を提供すること、サンプリングすること、およびＤＣ（直流）オフセットを補正（２２４）すること、の少なくとも１つを含む、請求項１に記載の方法。
【請求項４】
前記処理することは、前記第１のベースバンド信号に対する第１の周波数応答特性（図３Ａ）のための前記ベースバンドコンポーネントの少なくとも１つを構成することと、前記第２のベースバンド信号に対する第２の周波数応答特性（図３Ｂ）のための前記ベースバンドコンポーネントの少なくとも１つを構成することと、を含み、
前記ベースバンドコンポーネントの少なくとも１つは、ローパス・フィルタ、有限インパルス応答フィルタ、およびＤＣオフセット補正エレメント、の少なくとも１つを含む、
請求項１に記載の方法。
【請求項５】
前記処理することは、前記第１のベースバンド信号に対しては第１のサンプリング・レートで、および、前記第２のベースバンド信号に対しては第２のサンプリング・レートでサンプリングすることを含み、
前記サンプリングすることは、デシメータ・フィルタ、デジタル／アナログコンバータ、およびアナログ・デジタルコンバータの少なくとも１つによって実行される、
請求項１に記載の方法。
【請求項６】
複数のシステムに基づいて信号を処理するマルチモードレシーバーシステム（２００ａ）であって、
ベースバンドコンポーネントを使用して第１のシステム（２０１）に基づき第１のベースバンド信号（２０９）を処理するように構成されているベースバンド部（２１２ａ）を備え、
前記ベースバンド部は、さらに、ベースバンドコンポーネントを使用して、第２のシステム（２６７）に基づき第２のベースバンド信号（２７３）を処理するように構成されている、
システム。
【請求項７】
第１のダウンコンバータ（２１０）と、
第２のダウンコンバータ（２６８）と、
をさらに含み、
前記第１のダウンコンバータは、第１の信号（２０７）を前記第１のベースバンド信号に変換するように構成され、
前記第２のダウンコンバータは第２の信号（２７１）を前記第２のベースバンド信号に変換するように構成されている、
請求項６に記載のシステム。
【請求項８】
前記第１のシステムおよび前記第２のシステムそれぞれは、符号分割多元接続システム（２０１）、パーソナル通信サービスシステム（２５３）、全地球測位衛星システム（２３３）、デジタル放送衛星システム（２６７）、および全地球デジタル移動体通信システム、の少なくとも１つを含む、請求項６に記載のシステム。
【請求項９】
前記ベースバンドコンポーネントの少なくとも１つは前記第１のベースバンド信号に対する第１の周波数応答特性（図３Ａ）のためと、前記第２のベースバンド信号に対する第２の周波数応答特性（図３Ｂ）のためと、に構成され、
前記ベースバンドコンポーネントの少なくとも１つはローパス・フィルタ（２１４、２２０）、有限インパルス応答フィルタ、および、ＤＣオフセット補正エレメント（２２４）、の少なくとも１つを含む、
請求項６に記載のシステム。
【請求項１０】
前記ベースバンドコンポーネントの少なくとも１つは、前記第１のベースバンド信号に対しては第１のサンプリング・レートで、前記第２のベースバンド信号に対しては第２のサンプリング・レートで、サンプリングするように構成され、
前記ベースバンドコンポーネントの少なくとも１つは、デシメータ・フィルタ、デジタル／アナログコンバータ、およびアナログ／デジタルコンバータ、の少なくとも１つを含む、
請求項６に記載のシステム。
【発明の詳細な説明】
【技術分野】
【０００１】
一般に、本発明はトランシーバーに関する。詳細には、本発明はマルチモードレシーバーシステムに関する。
【背景技術】
【０００２】
セルラーハンドセットなどの携帯用トランシーバーでは、特に、カラー表示、ラジオレシーバー機能（例えば、音楽鑑賞用）、およびインターネットアクセス機能が、付加的な特徴となってきた。セルラーハンドセットが小型化する傾向にあるが、上記のような付加的な特徴によってスペースや、電力がさらに必要となってコストの増大を招くことがあり得る。上記特徴などを備えるには追加的なオーバーヘッドが必要となり、消費者は、追加的な機能を特別価格で提供する携帯用ハンドセット、または嵩張り、携帯性を損なう追加的な付属品および／または装置を必要とする携帯用ハンドセットを選択することになる場合が通例である。
【発明の開示】
【発明が解決しようとする課題】
【０００３】
したがって、オーバーヘッドおよび／またはコストを大幅に増加させることなく高度な特徴を提供する携帯用トランシーバーの登場が期待されることであろう。
【課題を解決するための手段】
【０００４】
本発明による実施形態では、ＤＢＳ（デジタル放送衛星）システム機能を有するＣＤＭＡ（符号分割多元接続）アーキテクチャを大幅に採用するＭＭＲ（マルチモードレシーバー）システムが含まれる。本発明による実施形態では、第１のシステムに基づきベースバンドコンポーネントを使用して第１のベースバンド信号を処理するように構成されたベースバンド部が備えられ、さらに、そのベースバンド部は第２のシステムに基づきベースバンドコンポーネントを使用して第２のベースバンド信号を処理するように構成されている。
【０００５】
また、操作に関連する方法も提供される。以下の図面および詳細な記載を入念に検討すれば、本発明による、他のシステム、方法、特徴、および利点が当業者には明らかであろう。意図されていることは、上記のような追加システム、方法、特徴、および利点が、本明細書に含まれ、本発明の範囲内にあり、また添付の請求項によって保護されていることである。
【発明を実施するための最良の形態】
【０００６】
以下の図面を参照すれば、本発明の多くの態様をより深く理解することができる。図面におけるコンポーネントは、必ずしも一定の縮尺に従うものではなく、本発明の原理を明確に示すことに重点を置いている。さらに、図面においては、同様の参照符号は、全図にわたって該当部分を示す。
【０００７】
携帯用トランシーバーのためのＭＭＲ（マルチモードレシーバー）システムの実施形態を明らかにする。一般に、ＭＭＲシステムは、ＧＰＳ（全地球測位衛星）システムおよび／またはＰＣＳ（パーソナル通信サービス）などの他のシステムの中でもＤＢＳ（デジタル放送衛星）システム（例えば、約２６４２．５ＭＨｚと約２５ＭＨｚのダウンリンク帯域幅を有する）用に設計された、および／または該システムにおいて使用されるレシーバーの機能を提供するための既存のＣＤＭＡ（符号分割多元接続）アーキテクチャを大幅に取り入れたレシーバー機能を含む。例えば、ユーザは、通話中にステレオ音楽を聴いたり、ステレオ音楽のダウンロードを行ったりする場合がある。ＭＭＲシステムでは、ＣＤＭＡアーキテクチャを大幅に取り入れることで、衛星音楽をダウンロードすることが可能である。ＭＭＲシステムは、フィルタと帯域幅をスイッチングできるＤＣ（直流）オフセット修正エレメントを使用することによって異なるシステムに適応する。ここで、ＣＤＭＡ、ＤＢＳ、ＧＰＳ、またはＰＣＳの各「モード」で作動するステップは、特定のシステムおよび／またはサービス用に設計された、および／または該システムおよび／またはサービスに使用されるであろうスタンドアローンのレシーバーまたはトランシーバーに整合するレシーバー機能を備えるステップを含むと理解されよう。例えば、レシーバー機能を備えるステップには、それぞれの規格、プロトコルなどに適合する、特定のシステムまたはサービスに対応する周波数応答特性を備えるステップが含まれることがある。したがって、そのシステムは、少なくとも二元的機能を実現する、または、一般に、ダイサイズと外部コンポーネントへのコストを最小限に抑えつつ、マルチモード機能を実現する。
【０００８】
特に、ＤＢＳレシーバー機能を備えるＣＤＭＡアーキテクチャを利用する携帯用トランシーバーを参照して記載するが、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ／デジタル移動体通信の欧州規格）、アナログＡＭＰＳ（先進移動電話サービス）、および／または他のシステム用のＤＢＳレシーバー、またはレシーバー機能を規定する他の規格に適合するアーキテクチャとともに、ＭＭＲシステムを使用することができる。以下の記載は、アナログ・ベースバンドおよびデジタル・ベースバンドの実施形態において実現されるＭＭＲシステムを記載している。もっとも、ＭＭＲシステムは、これらの実施形態に限定されるものではない。
【０００９】
図１は単純化した携帯用トランシーバー１００を例示するブロック図である。携帯用トランシーバー１００は、スピーカー１０２、ディスプレイ１０４、キーボード１０６、およびマイクロホン１０８を含み、すべてがベースバンド・サブシステム１３０に接続されている。特定の実施形態では、携帯用トランシーバー１００は、例えば、限定するわけではないが、移動型／セルラ型電話などの携帯用電気通信装置であることがある。当業者に周知のようにスピーカー１０２はコネクション１１０を通して、また、ディスプレイ１０４はコネクション１１２を通して、ベースバンド・サブシステム１３０から信号を受信する。同様に、キーボード１０６はコネクション１１４を通して、またマイクロホン１０８はコネクション１１６を通して信号をベースバンド・サブシステム１３０に供給する。ベースバンド・サブシステム１３０は、バス１２８を通して通信する、μＰ（マイクロプロセッサ）１１８、メモリ１２０、アナログ回路１２２、およびＤＳＰ（デジタル信号プロセッサ）１２４を含む。バス１２８は単一のバスとして示されているが、ベースバンド・サブシステム１３０内のサブシステムの中において必要に応じて接続される複数のバスを使用して実装されることがある。マイクロプロセッサ１１８およびメモリ１２０は、携帯用トランシーバー１００のための信号タイミング機能、信号処理機能、および信号格納機能を備える。アナログ回路１２２は、ベースバンド・サブシステム１３０内のアナログ信号処理機能を備える。ベースバンド・サブシステム１３０は、コネクション１３４を通して制御信号をＲＦ（無線周波数）サブシステム１４４に供給する。単独のコネクション１３４として示されているが、制御信号は、ＤＳＰ１２４、および／またはマイクロプロセッサ１１８から発信されてＲＦサブシステム１４４内の様々なポイントに供給される。例えば、ＤＳＰ１２４、またはマイクロプロセッサ１１８が、ＭＭＲ（マルチモードレシーバー）システム２００に制御信号を送ることができるので、ＭＭＲシステム２００は、ＤＢＳモード、ＣＤＭＡモード、ＰＣＳモード、および／またはＧＰＳモード間のスイッチングを行うことができる。留意すべきことは、理解を容易にするため、ここでは携帯用トランシーバー１００の基本コンポーネントのみが例示されていることである。
【００１０】
また、１つの実施形態では、ベースバンド・サブシステム１３０は、ＤＡＣ（デジタル／アナログコンバータ）１３６を含む。また、ＤＡＣ１３６は、バス１２８を通して、マイクロプロセッサ１１８、メモリ１２０、アナログ回路１２２、および／またはＤＳＰ１２４と通信する。ＤＡＣ１３６は、ベースバンド・サブシステム１３０内のデジタル通信情報をコネクション１４２を通してＲＦサブシステム１４４に送信されるアナログ信号に変換する。
【００１１】
コネクション１４２上のアナログ信号は、ＭＭＲシステム２００内の１つ以上のコンポーネントと協働して（コネクション１６６を経由して協働して）、変調器システム１４８において変調、変換され、また、コネクション１５４に供給される。ＰＡＳ（パワー増幅器システム）１８０は、コネクション１５４上の変調された信号（単数、または複数）を増幅して、コネクション１６２を経由してデュプレクサ／スイッチモジュール１７４に送信する。信号送信エネルギーは、デュプレクサ／スイッチモジュール１７４からアンテナ１７２に供給される。
【００１２】
信号はアンテナ１７２で受信されて、デュプレクサ／スイッチモジュール１７４に供給され、コネクション１７３を通ってＭＭＲシステム２００内のいくつかの信号処理パスの１つにルーティングされる。ＣＤＭＡで使用されたようなフルデュプレックストランシーバーでは、デュプレクサ／スイッチモジュール１７４を使用して１回の実行で送信／受信信号が同時に作成されることは当業者によって理解されるであろう。デュプレクサ／スイッチモジュール１７４は、ＧＰＳ、ＤＢＳ、および／またはＭＭＲシステム２００内に組み込まれた他のシステムおよび／または他の規格用の多重出力スイッチ／フィルタを含むとともに、ＣＤＭＡシステムの全二重送信を可能にするデュプレクサを含むことがある。ＧＰＳそして／又はＤＢＳそして／又はあるいは他のシステムのための多重出力スイッチ／フィルタを含む。通常、デュプレクサ／スイッチモジュール１７４は第１の組の周波数帯を第１のポート（図示せず）に、また第２の組の周波数帯を第２のポート（図示せず）にルーティングする、したがって、３ポート（例えば、全周波数を取り扱うアンテナポート、ＭＭＲシステム２００に供給する受信信号を取り扱う受信ポート、および送信周波数帯を取り扱う送信ポート）装置として機能する。１つの実施形態では、デュプレクサ／スイッチモジュール１７４の作動がベースバンド・サブシステム１３０からの制御信号によって制御される（例えば、コネクション１３４を通して制御される）。他の実施形態では、受信信号をＭＭＲシステム２００にルーティングするために、またはコネクション１６２からアンテナ１７２へ信号を送信するためにスイッチ（例えば、コネクション１３４を通してベースバンド・サブシステム１３０から制御されるスイッチ）を使用することがある。
【００１３】
アンテナ１７２によって受信された信号は、ベースバンドシステム１３０によって決定される適切な時間に、デュプレクサ／スイッチモジュール１７４を通り、コネクション１７３を経由してＭＭＲシステム２００に向かう。以下にさらに詳細に記載されるように、ＭＭＲシステム２００は、いろいろなモードに対するＣＤＭＡベースバンドアーキテクチャを使用して、モードが各種ある中で特にＣＤＭＡモードとＤＢＳモードの間のスイッチングを行う。このようにして、ＭＭＲシステム２００は、各種モードに対する信号を受信し、処理（例えば、フィルタリング、ダウンコンバート、増幅、復調）するコンポーネントを含む。ＭＭＲシステム２００は、デジタル領域でのさらなる処理のためにコネクション１９８を経由して出力信号をバス１２８に供給する。
【００１４】
図２は、アナログ・ベースバンドシステムを使用するＭＭＲシステムの１つの実施形態を例示するブロック図である。特に、アナログ・ベースバンドシステムを実装したＭＭＲシステム２００ａを示している。ＭＭＲシステム２００ａは、コネクション１７３を通る、いくつかのモードに対応する信号を受信、および処理する。コネクション１７３は、ＣＤＭＡモード、ＧＰＳモード、ＰＣＳモード、およびＤＢＳモードに対応する処理パスを含む。コネクション２０１においてデュプレクサ／スイッチモジュール１７４から始まるパスは、ＣＤＭＡモードのための信号処理パスに対応している。コネクション２３３で始まるパスは、ＧＰＳモードのための信号処理パスである。コネクション２５３で始まるパスは、ＰＣＳモードのための信号処理パスに対応している。コネクション２６７で始まるパスはＤＢＳモードのための信号処理パスに対応している。共通ベースバンド部２１２ａは、各種信号処理パスからの信号のベースバンド信号処理を行う共通アーキテクチャを備える。
【００１５】
まず、ＣＤＭＡ信号処理パスから始めると、デュプレクサ／スイッチモジュール１７４から受信された信号がコネクション２０１を経由してデュプレクサ２０２に供給される。デュプレクサ２０２は受信された信号をフィルタリングして、コネクション２０３を経由してフィルタリングされた信号をＣＤＭＡローノイズアンプ（ＬＮＡ）２０４に供給する。デュプレクサ２０２は、携帯用トランシーバー１００（図１）が作動している特定のセルラ方式のすべてのチャネルを通過させるバンドパスフィルタであることがある。１つの例として、８００ＭＨｚのＣＤＭＡシステムでは、デュプレクサ２０２の受信部は、実質的には互いに３０ＭＨｚ離れたチャネルを利用して、約８６９．６４ＭＨｚから８９３．９７ＭＨｚまでのすべての周波数を通過させる。デュプレクサ２０２の１つの目的は所望の周波数領域外のすべての周波数を排除することである。ＣＤＭＡ  ＬＮＡ２０４は、増幅器２０６ａおよび／または２０６ｂを使用してコネクション２０３上の弱い信号を増幅し、また、コネクション２０５を経由して、増幅された信号をＣＤＭＡ  ＳＡＷ（表面弾性波）フィルタ２０８に供給する。ＣＤＭＡ  ＳＡＷフィルタ２０８は、望ましくない信号（例えば、送信機からの信号漏れ）を排除し、フィルタリングされた信号を定義された周波数でコネクション２０７を経由してダウンコンバータ２１０（図２では「ミキサー」と表示）に供給する。
【００１６】
ダウンコンバータ２１０は、ローカル発振器信号（ＬＯ）をＰＬＬ（位相固定ループ）エレメント２９０から受け取る。１つの実施形態では、ＰＬＬエレメント２９０は、発振器２４６、Ｎ分割器２４８（Ｎは、種々のシステムに対応する種々のチャネル番号によって調整される整数である。）、ループフィルタ２５０、および基準水晶発振器２５２を含む。ＣＤＭＡ、またはＰＣＳなどの規格それぞれによれば、Ｎはチャネル番号によって異なる。ＤＢＳの場合、中心周波数は１つのみであり、したがって、Ｎは固定されたままである。また、Ｎは、種々の規格に対応するシステム要件によって変る小数（例えば、非整数）であることがある。したがって、種々のチャネルにわたって同調できるようＮの値は所与のシステム、またはモード内において変化することがある。ＰＬＬ素子２９０の信号は、ＣＤＭＡ  ＳＡＷフィルタ２０８から受信した信号をダウンコンバートする適切な周波数を、コネクション２４３を通してダウンコンバータ２１０に指示する。したがって、コネクション２０７上の信号は、コネクション２０９（「Ｉ」信号を搬送する）、および２２１（「Ｑ」信号を搬送する）上のベースバンド信号にダウンコンバートされる。
【００１７】
共通ベースバンド部２１２ａは、フィルタリング、ＤＣ（直流）オフセット補正、および、各種信号パスの「Ｉ」信号および「Ｑ」信号の増幅を行う。共通ベースバンド部２１２ａは、ＬＰ（ローパス）フィルタ２１４、２２８、ＡＰ（全域通過）フィルタ２２６、２３８、ＤＣ補正エレメント２２４および２３６、およびＡＧＣ（自動利得制御）エレメント２１６を含む。以下に説明するように、共通ベースバンド部２１２ａのＬＰフィルタ２１４、２２８（およびＡＧＣ素子２１６のＬＰフィルタ２２０、２３２）、およびＤＣ補正エレメント２２４、２３６は、調整可能であって（例えば、図１のように、ベースバンド・サブシステム１３０からの制御信号によって帯域幅をスイッチング可能であって）、実装されている特定のモード（例えば、ＣＤＭＡ、ＰＣＳ、ＧＰＳ、ＤＢＳ）に対する所望の周波数応答を実現する。例えば、ＣＤＭＡ、ＧＰＳ、およびＤＢＳの各モードに対する３ｄＢの帯域幅は、それぞれ、約６３０ｋＨｚ、約１ＭＨｚ、および約８ＭＨｚである。したがって、ＬＰフィルタ２１４、２２８、２２０、および２３２それぞれは、所望の帯域幅に基づいてフィルタ雑音の影響を最小にするべくフィルタの抵抗および／または容量を変えるコントロール入力の下で作動する。さらに、各種システム間でのＤＣ帯域幅補正における差異は５０倍（例えば、ＣＤＭＡモードに対し約１ｋＨｚ、ＤＢＳに対し５０ｋＨｚ）になりうる。したがって、同様の方法によってＤＣ補正エレメント２２４、２３６を調整する。
【００１８】
ＤＢＳシステムは、物理層信号の特性上ではＣＤＭＡシステムに類似しているので（例えば、両システムの波形はスペクトル直接拡散システムである）、ＣＤＭＡのレシーバーの機能ブロック（むしろそのコンポーネント）のいくつかについてはＤＢＳ機能とＣＤＭＡアーキテクチャとの統合を推進することがある。ＣＤＭＡとＤＢＳとの間で機能ブロックを再利用して、共有する上記方法によって、外部コンポーネント、ダイサイズおよび総システム費用の点で低コストのアーキテクチャが可能になる。ＤＣオフセット・ループ・カットオフ周波数（ＬＰフィルタ２２４、２３８）同様、ローパス（低域通過）フィルタ・カットオフ周波数（ＬＰフィルタ２１４、２２８、２２０、２３２）はＣＤＭＡモードとＤＢＳモードとの間でスイッチングされる。ローパスカットオフ周波数は、例えば、両モード（例えば、ＣＤＭＡとＤＢＳ）のための信号帯域幅の範囲（ＢＷ）を参照する。ＣＤＭＡシステムとＤＢＳシステムの両システムは、広帯域システムであり、ＤＣ近傍のエネルギーは無視できるので、ＤＣオフセット・ループはハイパス（高域通過）カットオフ周波数を有するバイパスフィルタとして機能することができる。ＣＤＭＡの場合、ローパス・フィルタの−３ｄＢ（デシベル）のカットオフ周波数は約６３０ｋＨｚ（キロヘルツ）であり、ハイパス・コーナー周波数は約１ｋＨｚである。システムがＤＢＳモードにスイッチングされると、ローパス周波数は約８．１９２ＭＨｚにスイッチングされ、ハイパス・コーナー周波数は約２０〜５０ｋＨｚにスイッチングされる。したがって、例えば、スイッチング・コンデンサー、または他の回路エレメントによってＤＣカットオフ周波数の値をスイッチングできる。ＤＢＳの場合上端における要求されるダイナミックレンジは中継距離および近距離場効果によって制限されるので、ＣＤＭＡシステムとＤＢＳシステムとでは、同じＶＧＡ（可変利得増幅器）（２１８、２２０）が使用される。
【００１９】
ダウンコンバートされたＣＤＭＡ信号に対応するコネクション２０９上の「Ｉ」ベースバンド信号はＬＰフィルタ２１４によってフィルタリングされ、コネクション２１１を経由して、ＡＧＣ（自動利得制御）エレメント２１６に供給される。ダウンコンバートされたＣＤＭＡ信号に対応するコネクション２２１上の「Ｑ」信号はＬＰフィルタ２２８によって同様にフィルタリングされ、コネクション２２３を経由してＡＧＣエレメント２１６に供給される。ＡＧＣエレメント２１６は、複数のＶＧＡ（可変利得増幅器）２１８、２２２（「Ｉ」パス上で）と、ＶＧＡ２３０、２３４（「Ｑ」パス上で）と、を含む。また、ＡＧＣエレメント２１６は「Ｉ」パスにＬＰフィルタ２２０を、また「Ｑ」パスにＬＰフィルタ２３２を含む。「Ｉ」信号および「Ｑ」信号は増幅されて、ローパス・フィルタリングされる。処理後の「Ｉ」信号はコネクション２１７を経由して、また処理後の「Ｑ」信号はコネクション２２９を経由して、出力される。
【００２０】
コネクション２１７上の処理後の「Ｉ」信号は、ＤＣ補正エレメント２２４を通ってＤＣ補正される。ＤＣ補正後の「Ｉ」信号のフィルタリングがＡＰフィルタ２２６において行われ、フィルタリングされた信号はコネクション１９８を経由してベースバンド・サブシステム１３０（図１）に供給されて、さらなる信号処理が行われる。同様に、処理後の「Ｑ」信号のＤＣ補正は、ＤＣ補正エレメント２３６において行われ、ＡＰフィルタ２３８においてフィルタリングが行われる。また、ＤＣ補正エレメント２２４、２３６は、共通ベースバンド部２１２ａにおけるＬＰフィルタについて記載されたのと同様実装モードに基づいて帯域幅調整済みである。フィルタリングされた信号は、さらなる信号処理のためにコネクション１９８を経由してベースバンド・サブシステム１３０に供給される。ベースバンド・サブシステム１３０（図ｌ）では、コネクション１９８上の信号（単数、または複数）をＡＤＣ（アナログ／デジタルコンバータ）（図示せず）に供給することができる。ＡＤＣはコンバートされた信号を、バス１２８を通してベースバンド・サブシステム１３０内の他のコンポーネント、または他のコンポーネントに供給することができる。例えば、アプリケーションに応じてその信号をデジタル化して（例えばＡＤＣにおいて）ＤＳＰ１２４（図１）、マイクロプロセッサ１１８（図１）、モデム（図示せず）などに供給することができる。
【００２１】
デュプレクサ／スイッチモジュール１７４からのＧＰＳ信号はコネクション２３３を経由して前選択フィルタ２４０において受信されフィルタリングされる。前選択フィルタ２４０はＧＰＳ信号帯域外の他の周波数を実質的に除去できる。その結果選択された周波数を有する信号は、コネクション２３５を経由して増幅器２４２において増幅される。増幅された信号はコネクション２３７を通ってＧＰＳダウンコンバータ２４４に供給される。
【００２２】
ＰＬＬエレメント２９０信号は、コネクション２４３を経由してＧＰＳダウンコンバータ２４４に、コネクション２３７上の増幅された信号をダウンコンバートする適切な周波数に関する指示を行う。ダウンコンバートされた信号（「Ｉ」）はコネクション２３９を経由して共通ベースバンド部２１２ａに伝送され、ダウンコンバートされた信号（「Ｑ」）はコネクション２４１を経由して共通ベースバンド部２１２ａに伝送されて、ベースバンド・サブシステム１３０（例えば、図１のように、コネクション１３４を経由して）から供給されるコントロール信号を通じて与えられるフィルタ設定とＤＣオフセット補正に基づいてそれぞれ処理される。すなわち、フィルタ（例えば、２１４、２２８、２２０、２３２）と、共通ベースバンド部２１２ａ内のＤＣ補正エレメント２２４、２３６は、ベースバンド・サブシステム１３０によって調整され、選択されたモード（例えば、ＣＤＭＡ、ＧＰＳ）に対する適切な周波数応答がなされる。
【００２３】
デュプレクサ／スイッチモジュール１７４からのＰＣＳ信号はコネクション２５３を通ってデュプレクサ２５４において受信され、コネクション２５５を経由してＰＣＳ  ＬＮＡ  ２５６に供給される。ＰＣＳ  ＬＮＡ  ２５６には増幅器２５８ａ、２５８ｂが含まれる。選択されたＰＣＳ信号は、コネクション２５７を経由して、ＣＤＭＡ  ＳＡＷフィルタ２０８に対してなされた記載と同様の方法で所望の周波数を選択するＰＣＳ  ＲＦ  ＳＡＷフィルタ２６０に供給される。選択された周波数の信号はコネクション２５９を介してＰＣＳダウンコンバータ２６２に供給され、その信号は、コネクション２４３を経由して、ＰＬＬエレメント２９０のコントロールを受けながらベースバンド信号にダウンコンバートされる。ベースバンド信号はコネクション２６１、２６５を経由して共通ベースバンド部２１２ａに供給され上記の処理が行われる。上記したように、ＬＰフィルタとＤＣ補正エレメントは、ＰＣＳモードに対応して調整される。
【００２４】
ＤＢＳ信号処理パスは、ＤＢＳ前選択フィルタ２６４、ＤＢＳ  ＬＮＡ２６６、およびＤＢＳダウンコンバータ２６８を含む。ＭＭＲシステム２００ａのＤＢＳ部分に対する１つの実施形態では直接変換アーキテクチャが使用され、いかなるイメージ周波数もないので、ＬＮＡ２６６とダウンコンバータ２６８とを個別に使用して、異なるＲＦ周波数に適合でき、少なくとも一部ではＲＦ  ＳＡＷフィルタは要求されない。さらに、衛星への送信がまったくなく、したがって、ＣＤＭＡシステムのような全二重操作もまったくない。ＤＢＳ信号は、デュプレクサ／スイッチモジュール１７４からコネクション２６７を通ってＤＢＳ前選択フィルタにおいて受け取られる。信号強度が強いとき、特にトランシーバー１００（図１）が地上リピータ近傍に配設されているとき、ＤＢＳ  ＬＮＡ  ２６６をバイパスするために、ＤＢＳ  ＬＮＡ２６６は、図４、および図５に示す同様のコンポーネントがそうであるように、バイパスモードを含むことがある。そのフィルタリングされた信号はコネクション２６９を経由してＤＢＳ  ＬＮＡ  ２６６に供給される。必要な場合、ＤＢＳ  ＬＮＡ  ２６６は信号を増幅し、そして、その信号は、コネクション２７１を経由してＤＢＳダウンコンバータ２６８に供給される。ＤＢＳダウンコンバータ２６８はＰＬＬエレメント２９０からコネクション２４３を経由してＬＯ信号を受け取り、コネクション２７１を経由して受け取った信号をベースバンド信号にダウンコンバートする。ＤＢＳダウンコンバータ２６８からの「Ｉ」信号はコネクション２７３を経由して、またＤＢＳダウンコンバータ２６８からの「Ｑ」信号はコネクション２７５を経由して、他の信号処理パスに対してなされた記載と同様の方法で共通ベースバンド部２１２ａに供給される。他の実施形態では、ＤＢＳダウンコンバータ２６８を省略することができ、他のシステム内のダウンコンバータの１つ（例えば、ＰＣＳダウンコンバータ２６２）を利用して、ＤＢＳベース信号のダウンコンバートを行う。また、既に述べたように、ＬＰフィルタとＤＣ補正エレメントは選択されたモードに対応して調整される。
【００２５】
図３Ａ、及び図３Ｂは、ＣＤＭＡモード、およびＤＢＳモードに対する図２に示す実施形態に要求される異なるローパス・フィルタの特性を例示するグラフである。上記のように、ＬＰフィルタ２１４、２２０、２２８、および２３２（図２）は、ベースバンド・サブシステム１３０（図１）から受け取る信号を経由して調整される。図３ＡはＣＤＭＡモードに対するＬＰフィルタの特性を表し、図３ＢはＤＢＳモードに対するフィルタの特性を表す。図３Ａと図３Ｂについていえば、Ｙ軸３０２は、ｄＢ単位の処理済み信号の正規化された振幅レベルを示し、Ｘ軸３０４は、ｋＨｚ単位の信号周波数を示す。Ｙ軸３０２上のポイント３０６は、応答信号の正規化された振幅レベルを表し、ポイント３０８は、特定のオフセット周波数におけるフィルタの減衰量（正規化された振幅）は、有限であって無限になることはないことを示す。図３Ａについていえば、ＣＤＭＡモードに対するカットオフ周波数（周波数の３ｄＢ低下）を約６３０ｋＨｚに対応するポイント３１０に示す。信号はポイント３１２によって示されるように約９００ｋＨｚまでパスする。ＤＢＳ周波数応答の場合、８．１９２ＭＨｚに対応するポイント３１４は−３ｄＢカットオフ周波数を表す。ポイント３１６で示すようにＤＢＳモードでは、約１１．６３ＭＨｚまで信号がパスする。このようにして、カットオフ周波数がＣＤＭＡシステムからＤＢＳシステムに切り換えられると、フィルタのシフト・ファクタは同じままである。シフト・ファクタは通過帯域周波数の阻止帯域周波数に対する比率である。例えば、ＣＤＭＡシステムでは、通過帯域周波数は６３０ｋＨｚで、阻止帯域周波数は９００ｋＨｚであることがある。同じ、または同様の比率をＤＢＳ通過帯域、および阻止帯域幅に適用することがある。
【００２６】
図４はデジタル・ベースバンドシステムを使用するＭＭＲシステムの第２の実施形態を例示するブロック図である。信号処理パスの上流側に対応するコンポーネント、および信号処理パスそれぞれがダウンコンバータを含むことに関しては、図２のＭＭＲシステム２００ａに対する記載と同じ、またはほぼ同様である。したがって、理解を容易にするために、同様の説明は省略される。ＣＤＭＡモード、ＧＰＳモード、ＰＣＳモード、およびＤＢＳモードの信号処理パスに対応するダウンコンバータからの「Ｉ」ベースバンド信号と「Ｑ」ベースバンド信号を共通ベースバンド部２１２ｂに供給する。共通ベースバンド部２１２ｂは、ＬＰフィルタ４１４、４３６、ＶＧＡ４１６、４３８、ＤＣ補正エレメント４１８、４４０、ＡＤＣ（アナログ／デジタルコンバータ）４２０、４４２（例えば、シグマデルタコンバータ）、およびデシメータ（ｄｅｃｉｍａｔｏｒ）・フィルタ４２２、４４４（大文字Ｍが続く下向き矢印によって表される）を含む。また、共通ベースバンド部２１２ｂはＦＩＲ（有限インパルス応答フィルタ）４２４、４４６、ＤＡＣ（デジタル／アナログコンバータ）４２８、４３２、およびＳＦ（スムージング・フィルタ）４３０、４３４を含む。
【００２７】
「Ｑ」信号の処理についても同様の説明が当てはまるという理解のもとに「Ｉ」信号の処理について記載する。「Ｉ」信号はＬＰフィルタ４１４においてフィルタリングされ、コネクション４１１に供給される。アナログ・ベースバンドシステムを使用する図２の実施形態において記載したように、ＬＰフィルタ４１４（および４３６）とＤＣ−オフセット補正エレメント４１８（および４４０）の帯域幅は、実装されている特定のモード（例えば、ＣＤＭＡモード、ＰＣＳモード、ＧＰＳモード、ＤＢＳモード）に対して所望の周波数応答を達成するように調整されている（例えば、図１のように、ベースバンド・サブシステム１３０からの制御信号を通して、例えば、帯域幅をスイッチできる）。図６に例示されている実施形態における同様のコンポーネントについても同一の、または同様の帯域幅調整が、実行される。コネクション４１１に供給されたフィルタリング後の信号は、ＶＧＡ４１６において増幅され、コネクション４１３に供給される。ここで留意すべきは、ＶＧＡ４１６（および「Ｑ」信号に対する対応するＶＧＡ）の機能をデシメーション処理後（後述される）に実行できる実施形態もあれば、および／またはその機能をＡＤＣ（例えば、ＡＤＣ４２０）に統合することができる実施形態もあることである。コネクション４１３上の増幅された信号のＤＣ−オフセット補正は、ＤＣ補正エレメント４１８において行われる。ＤＣ補正された信号はＡＤＣ４２０に供給されベースバンド・サブシステム１３０の１つまたは複数のコンポーネント（図１において、例えば、ＤＳＰ１２４）によって指定されるサンプリング・レートに対応してサンプリングされる。その結果、サンプリング・クロックが異なる各種モードの間でＡＤＣ４２０、４４２を共用することを可能にしている。
【００２８】
例えば、ＡＤＣ４２０のサンプリング・クロックは、ＣＤＭＡモードに使用されるサンプリング・レートがＤＢＳモードに使用されるレートと異なるように、選択されたモードに基づいて切り換えられる。１つの例としては、ＣＤＭＡモードのサンプリング・クロックは、オーバーサンプリング比率がほぼ８、または１６と等しくなる９．６ＭＨｚ、または１９．２ＭＨｚであろう。または、サンプリング・クロックを、１．２２８８ＭＨｚであるチップレートの整数倍に選択することがある。サンプリングされた信号は、コネクション４１７を経由して、高周波数から低周波数にダウンサンプリングするデシメータ・フィルタ４２２に送られる。
【００２９】
デシメーションは、より高周波数から低周波数へのダウンサンプリング操作である。その変換は整数レート変換、または非整数レート変換であろう。次に、ナイキスト・サンプリングレート、または同レートの倍数のいずれかに等しい低レートへのデシメーションが実行される。したがって、前記サンプリング・クロック周波数９．６ＭＨｚに対するデシメーション係数は４に、前記サンプリング・クロック周波数１９．２ＭＨｚに対するデシメーション係数は８に等しいであろう。各種モード（例えば、ＣＤＭＡ対ＤＢＳ）に対するいろいろなサンプリング値についてデシメーションを行うことができる。このようにして、デシメータ・フィルタ４２２（および４４４）は、所望のデシメーションを実現するよう調整された（例えば、図１におけるベースバンド・サブシステム１３０からの制御信号を通して）サンプリング・レートを有することが可能である。ＤＢＳモードでは、チップレートの倍数、例えば、１６．３８４ＭＨｚに等しいこともある。したがって、サンプリング・クロックは１３１．０７２ＭＨｚ／６５．５３６ＭＨｚとなり、それぞれ、オーバーサンプリング比率が８と４になるであろう。デジタルフィルタを備える前に出力を低レートに変換するために、同様のデシメーション係数を使用することができる。
【００３０】
デシメータ・フィルタ４２２からのサンプリングされた値はコネクション４１９を経由してＦＩＲフィルタ４２４に供給される。また、ＦＩＲフィルタ４２４（および４４６）は、受信し処理された信号のモードに基づいて調整されたコンポーネントである。フィルタリングされた信号はコネクション４２１を通ってＤＡＣ４２８に供給されて、そこでアナログ信号に変換されてコネクション４２３に供給される。ＤＡＣ４２８はまた、実装されるモードに基づいて調整されたサンプリング・レートを含む。一般に、ＤＡＣ４２８のサンプリング・レートは、デシメータ・フィルタ４２２によって実装されたサンプリング・レートに等しいか、または比例している。コネクション４２３を経由して供給された信号はスムージング・フィルタ４３０においてさらにフィルタリングされて（例えば、ＤＡＣ４２８によって実行されたサンプルアンドホールド操作によって作成されたエイリアス・スパー（ａｌｉａｓ  ｓｐｕｒｓ）を除去）、コネクション１９８に供給される。こうして、共通ベースバンド部２１２ｂは、いくつかはモードそれぞれに対応する周波数応答を含むように調整されている共用コンポーネントを使用して、受信したモードがいかなるものであれ、その受信された信号を処理することができる。
【００３１】
図５は、第２のデジタル・ベースバンドシステムを使用するＭＭＲシステムの第３の実施形態を例示するブロック図である。図５に示すＭＭＲシステムの第３の実施形態２００ｃは、ＭＭＲシステムの第２の実施形態２００ｂにほぼ類似している。しかしながら、ＭＭＲシステムの第３の実施形態２００ｃは、第３の実施形態２００ｃが図４のＤＡＣ４２８、４３２、およびスムージング・フィルタ４３０、４３４を省略している点でＭＭＲシステムの第２の実施形態２００ｂと異なっている。ＭＭＲシステムの第２の実施形態２００ｂと同様、ＭＭＲシステムの第３の実施形態２００ｃは、共通のアーキテクチャを含むＣＤＭＡモードとＤＢＳモードの間で切り替えられる（例えば、ＡＤＣ４２０を通して切り替えられる）サンプリング・レートを有する。さらに、デシメータ・フィルタ４２２、４４４、およびＦＩＲフィルタ４２４、４４６は２つのモードの間で調整される。フィルタ応答および／またはサンプリング・レートにおけるそのような調整をメモリ１２０（または、マイクロプロセッサ１１８、またはＤＳＰ１２４）内においてＲＯＭ（読み込み専用メモリ）コードを通して実行することができるか、または動的に実行することができる（例えば、実時間処理）。また、ローパス・フィルタとＤＣ−補正エレメントは図４に関連する説明においてなされたように調整される。
【００３２】
ＣＤＭＡモードとＤＢＳモードとの間での高ダイナミック・レンジＡＤＣの共用を、低いサンプリング・レートで動作している場合、パワー消費が低くなるように設計することができる。ＡＤＣ（例えば、図４のＡＤＣ４２０、４２２）はシグマデルタアーキテクチャ（専用ＡＤＣ）として構成される。一方、ＤＢＳモードでは、パワー消費がより増えることがある。ＤＢＳモードにおいて要求されるであろうダイナミックレンジを実現するために、別のステージにおける切り替え操作によって対処することができる。
【００３３】
本発明の各種実施形態が記載されてきたが、本発明の趣旨の範囲内においてより多くの実施形態、および実装が可能なことは当業者にとって明らかであろう。したがって、本発明は、請求項およびそれらの同等物の観点以外のものに限定されるものではない。
【図面の簡単な説明】
【００３４】
【図１】ＭＭＲ（マルチモードレシーバー）システムを有する単純化した携帯用トランシーバーを示すブロック図である。
【図２】アナログ・ベースバンドシステムを使用する、図１に示すＭＭＲシステムの１つの実施形態を例示するブロック図である。
【図３Ａ】ＣＤＭＡ（符号分割多元接続）機能に関して図２に示す実施形態に要求されるフィルタ特性を例示するグラフである。
【図３Ｂ】ＤＢＳ（デジタル放送衛星）機能に関して図２に示す実施形態に要求されるフィルタ特性を例示するグラフである。
【図４】図１に示すＭＭＲシステムの第１のデジタル・ベースバンド実施形態を例示するブロック図である。
【図５】図１に示すＭＭＲシステムの第２のデジタル・ベースバンド実施形態を例示するブロック図である。
【図１】
2007534220.tif 000002
【図２】
2007534220.tif 000003
【図３Ａ】
2007534220.tif 000004
【図３Ｂ】
2007534220.tif 000005
【図４】
2007534220.tif 000006
【図５】
2007534220.tif 000007
【手続補正書】
【提出日】平成17年5月4日(2005.5.4)
【手続補正１】
【補正対象書類名】明細書
【補正対象項目名】００２３
【補正方法】変更
【補正の内容】
【００２３】
ＤＢＳシステムは、物理層信号の特性上ではＣＤＭＡシステムに類似しているので（例えば、両システムの波形はスペクトル直接拡散システムである）、ＣＤＭＡのレシーバーの機能ブロック（むしろそのコンポーネント）のいくつかについてはＤＢＳ機能とＣＤＭＡアーキテクチャとの統合を推進することがある。ＣＤＭＡとＤＢＳとの間で機能ブロックを再利用して、共有する上記方法によって、外部コンポーネント、ダイサイズおよび総システム費用の点で低コストのアーキテクチャが可能になる。ＤＣオフセット・ループ・カットオフ周波数（ＬＰフィルタ２２４、２３８）同様、ローパス（低域通過）フィルタ・カットオフ周波数（ＬＰフィルタ２１４、２２８、２２０、２３２）はＣＤＭＡモードとＤＢＳモードとの間でスイッチングされる。ローパスカットオフ周波数は、例えば、両モード（例えば、ＣＤＭＡとＤＢＳ）のための信号帯域幅の範囲（ＢＷ）を参照する。ＣＤＭＡシステムとＤＢＳシステムの両システムは、広帯域システムであり、ＤＣ近傍のエネルギーは無視できるので、ＤＣオフセット・ループはハイパス（高域通過）カットオフ周波数を有するバイパスフィルタとして機能することができる。ＣＤＭＡの場合、ローパス・フィルタの−３ｄＢ（デシベル）のカットオフ周波数は約６３０ｋＨｚ（キロヘルツ）であり、ハイパス・コーナー周波数は約１ｋＨｚである。システムがＤＢＳモードにスイッチングされると、ローパス周波数は約８．１９２ＭＨｚにスイッチングされ、ハイパス・コーナー周波数は約２０〜５０ｋＨｚにスイッチングされる。したがって、例えば、スイッチング・コンデンサー、または他の回路エレメントによってＤＣカットオフ周波数の値をスイッチングできる。ＤＢＳの場合上端における要求されるダイナミックレンジは中継距離および近距離場効果によって制限されるので、ＣＤＭＡシステムとＤＢＳシステムとでは、同じＶＧＡ（可変利得増幅器）（２１８、２３０）が使用される。
【手続補正２】
【補正対象書類名】明細書
【補正対象項目名】００３５
【補正方法】変更
【補正の内容】
【００３５】
デシメータ・フィルタ４２２からのサンプリングされた値はコネクション４１９を経由して有限インパルス応答フィルタ（ＦＩＲ）フィルタ４２４に供給される。また、ＦＩＲフィルタ４２４（および４４６）は、受信し処理された信号のモードに基づいて調整されたコンポーネントである。フィルタリングされた信号はコネクション４２１を通ってＤＡＣ４２８に供給されて、そこでアナログ信号に変換されてコネクション４２３に供給される。ＤＡＣ４２８はまた、実装されるモードに基づいて調整されたサンプリング・レートを含む。一般に、ＤＡＣ４２８のサンプリング・レートは、デシメータ・フィルタ４２２によって実装されたサンプリング・レートに等しいか、または比例している。コネクション４２３を経由して供給された信号はスムージング・フィルタ４３０においてさらにフィルタリングされて（例えば、ＤＡＣ４２８によって実行されたサンプルアンドホールド操作によって作成されたエイリアス・スパー（ａｌｉａｓ  ｓｐｕｒｓ）を除去）、コネクション１９８に供給される。こうして、共通ベースバンド部２１２ｂは、いくつかはモードそれぞれに対応する周波数応答を含むように調整されている共用コンポーネントを使用して、受信したモードがいかなるものであれ、その受信された信号を処理することができる。
【手続補正３】
【補正対象書類名】図面
【補正対象項目名】図４
【補正方法】変更
【補正の内容】
【図４】
2007534220.tif 000008
【手続補正４】
【補正対象書類名】図面
【補正対象項目名】図５
【補正方法】変更
【補正の内容】
【図５】
2007534220.tif 000009
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
複数のシステムに基づいて信号を受け取る方法（２００ａ）であって、
該方法は、
第１のシステム（２０１）に基づいて第１の信号（２０７）を第１のベースバンド信号（２０９）に変換し（２１０）、
第２のシステム（２６７）に基づいて第２の信号（２７１）を第２のベースバンド信号（２７３）に変換し、
ベースバンドコンポーネント（２１２ａ）を使用して前記第１のベースバンド信号を処理し、
ベースバンドコンポーネントを使用して前記第２のベースバンド信号を処理する、
ことを含み、
前記第１のベースバンド信号を処理すること、及び、前記第２のベースバンド信号を処理することは、該第１のベースバンド信号及び第２のベースバンド信号を、選択的にフィルタリングすること、及び、選択的にＤＣオフセット補正することを含む。
【請求項２】
前記第１のシステムおよび前記第２のシステムそれぞれは、符号分割多元接続システム（２０１）、パーソナル通信サービスシステム（２５３）、全地球測位衛星システム（２３３）、デジタル放送衛星システム（２６７）、および全地球デジタル移動体通信システム、の少なくとも１つを含む、請求項１に記載の方法。
【請求項３】
前記処理することは、フィルタリング（２１４、２２０、２２６）すること、増幅（２１８、２２２）すること、デジタル／アナログ変換を提供すること、アナログ／デジタル変換を提供すること、サンプリングすること、およびＤＣ（直流）オフセットを補正（２２４）すること、の少なくとも１つを含む、請求項１に記載の方法。
【請求項４】
前記処理することは、前記第１のベースバンド信号に対する第１の周波数応答特性（図３Ａ）のための前記ベースバンドコンポーネントの少なくとも１つを構成することと、前記第２のベースバンド信号に対する第２の周波数応答特性（図３Ｂ）のための前記ベースバンドコンポーネントの少なくとも１つを構成することと、を含み、
前記ベースバンドコンポーネントの少なくとも１つは、ローパス・フィルタ、有限インパルス応答フィルタ、およびＤＣオフセット補正エレメント、の少なくとも１つを含む、
請求項１に記載の方法。
【請求項５】
前記処理することは、前記第１のベースバンド信号に対しては第１のサンプリング・レートで、および、前記第２のベースバンド信号に対しては第２のサンプリング・レートでサンプリングすることを含み、
前記サンプリングすることは、デシメータ・フィルタ、デジタル／アナログコンバータ、およびアナログ・デジタルコンバータの少なくとも１つによって実行される、
請求項１に記載の方法。
【請求項６】
複数のシステムに基づいて信号を処理するマルチモードレシーバーシステム（２００ａ）であって、
ベースバンドコンポーネントを使用して第１のシステム（２０１）に基づき第１のベースバンド信号（２０９）を処理するように構成されているベースバンド部（２１２ａ）を備え、
前記ベースバンド部は、さらに、ベースバンドコンポーネントを使用して、第２のシステム（２６７）に基づき第２のベースバンド信号（２７３）を処理するように構成されており、
前記ベースバンドコンポーネントは選択可能なローパスフィルタと選択可能なＤＣオフセット補正エレメントとを含む、
システム。
【請求項７】
第１のダウンコンバータ（２１０）と、
第２のダウンコンバータ（２６８）と、
をさらに含み、
前記第１のダウンコンバータは、第１の信号（２０７）を前記第１のベースバンド信号に変換するように構成され、
前記第２のダウンコンバータは第２の信号（２７１）を前記第２のベースバンド信号に変換するように構成されている、
請求項６に記載のシステム。
【請求項８】
前記第１のシステムおよび前記第２のシステムそれぞれは、符号分割多元接続システム（２０１）、パーソナル通信サービスシステム（２５３）、全地球測位衛星システム（２３３）、デジタル放送衛星システム（２６７）、および全地球デジタル移動体通信システム、の少なくとも１つを含む、請求項６に記載のシステム。
【請求項９】
前記ベースバンドコンポーネントの少なくとも１つは前記第１のベースバンド信号に対する第１の周波数応答特性（図３Ａ）のためと、前記第２のベースバンド信号に対する第２の周波数応答特性（図３Ｂ）のためと、に構成され、
前記ベースバンドコンポーネントの少なくとも１つは前記ローパス・フィルタ（２１４、２２０）、有限インパルス応答フィルタ、および、前記ＤＣオフセット補正エレメント（２２４）、の少なくとも１つを含む、
請求項６に記載のシステム。
【請求項１０】
前記ベースバンドコンポーネントの少なくとも１つは、前記第１のベースバンド信号に対しては第１のサンプリング・レートで、前記第２のベースバンド信号に対しては第２のサンプリング・レートで、サンプリングするように構成され、
前記ベースバンドコンポーネントの少なくとも１つは、デシメータ・フィルタ、デジタル／アナログコンバータ、およびアナログ／デジタルコンバータ、の少なくとも１つを含む、
請求項６に記載のシステム。
【国際調査報告】
2007534220.tif 000010
2007534220.tif 000011